(57)【要約】【課題】簡易かつ安価な構成で、口腔内における適切な位置に安定して位置決めすることが可能な舌圧測定用パッドとその製造方法および口腔内圧測定装置を提供する。【解決手段】舌圧測定用パッド１は、舌圧測定用中空部１１と、該舌圧測定用中空部１１の内部と連通する管状の舌圧測定用接続部１２と、を備えている。そして、舌圧測定用中空部１１の下面に、該舌圧測定用中空部１１が舌と口蓋との間に配置された状態で舌先が当てられることによって該舌圧測定用中空部１１を口腔内で位置決めする位置決め部１１３が設けられている。【選択図】図２
2018075127.tif 000002
【特許請求の範囲】
【請求項１】
舌の口蓋への押付け力の測定に用いられる舌圧測定用パッドであって、
内部に空間を有する舌圧測定用中空部と、
前記舌圧測定用中空部に連設され該舌圧測定用中空部の内部と連通する管状の舌圧測定用接続部と、を備え、
前記舌圧測定用中空部の下面に、該舌圧測定用中空部が舌と口蓋との間に配置された状態で舌先が当てられることによって該舌圧測定用中空部を口腔内で位置決めする位置決め部が設けられていることを特徴とする舌圧測定用パッド。
【請求項２】
前記位置決め部は、前記舌圧測定用中空部の内部に向けてへこんだ窪み部であることを特徴とする請求項１に記載の舌圧測定用パッド。
【請求項３】
請求項１または請求項２に記載の舌圧測定用パッドと、
前記舌圧測定用パッドの前記舌圧測定用接続部と着脱可能に接続するチューブと、
前記チューブにおける基端側の端部と着脱可能に接続する本体側接続部が設けられ該本体側接続部に伝達された空気圧から舌圧を測定する本体部と、
を備えることを特徴とする口腔内圧測定装置。
【請求項４】
頬の臼歯部歯列への押付け力の測定に用いられる頬圧測定用パッドを備え、
前記頬圧測定用パッドは、
内部に空間を有する頬圧測定用中空部と、
前記頬圧測定用中空部に連設され該頬圧測定用中空部の内部と連通する管状の頬圧測定用接続部と、
前記頬圧測定用中空部の側面に設けられた板状の翼部と、を備え、
前記翼部は、前記頬圧測定用中空部および前記頬圧測定用接続部の中心軸に平行に設けられており、
前記頬圧測定用中空部が頬と臼歯部歯列との間に配置された状態で、前記翼部は、上臼歯と下臼歯との間に位置され、
前記チューブが前記頬圧測定用パッドの前記頬圧測定用接続部と着脱可能に接続された状態で、前記本体部は、頬圧を測定することを特徴とする請求項３に記載の口腔内圧測定装置。
【請求項５】
上唇と下唇との間の押付け力の測定に用いられる口唇圧測定用パッドを備え、
前記口唇圧測定用パッドは、
内部に空間を有する口唇圧測定用中空部と、
前記口唇圧測定用中空部に連設され該口唇圧測定用中空部の内部と連通する管状の口唇圧測定用接続部と、
前記口唇圧測定用中空部における前記口唇圧測定用接続部とは反対側に設けられた板状の鍔部と、を備え、
前記鍔部は、前記口唇圧測定用中空部および前記口唇圧測定用接続部の中心軸に垂直に設けられており、
前記口唇圧測定用中空部が上唇と下唇との間に配置された状態で、前記鍔部は、前歯と唇との間に位置され、
前記チューブが前記口唇圧測定用パッドの前記口唇圧測定用接続部と着脱可能に接続された状態で、前記本体部は、口唇圧を測定することを特徴とする請求項３または請求項４に記載の口腔内圧測定装置。
【請求項６】
前記本体部は、
前記本体側接続部に伝達された空気圧を検出し、該空気圧を電気信号に変換する圧力電気変換手段と、
該圧力電気変換手段から得られた電気信号を測定情報として処理する制御手段と、を有し、
前記本体部は、さらに、測定結果を表示するための表示手段、および前記制御手段から得られた測定情報を通信端末に送受信するための通信手段の少なくとも一方を有することを特徴とする請求項３から請求項５のいずれか一項に記載の口腔内圧測定装置。
【請求項７】
前記制御手段は、前記圧力電気変換手段から得られた電気信号を、前記チューブにおける先端側の端部と接続する口腔内圧測定用パッドの種類に応じた調整のための演算を含んで測定情報として処理することを特徴とする請求項６に記載の口腔内圧測定装置。
【請求項８】
前記本体部は、操作手段と、記憶手段と、を有し、
前記制御手段は、前記操作手段からの操作情報の処理、前記記憶手段からの記憶情報の処理、および前記チューブにおける先端側の端部と接続する口腔内圧測定用パッドを測定箇所に配置した時の圧力値を基準点とするキャリブレーション機能の処理、を含む制御を実行することを特徴とする請求項６または請求項７に記載の口腔内圧測定装置。
【請求項９】
請求項１または２に記載の舌圧測定用パッドを、射出成形またはコンプレッション成形によって形成することを特徴とする舌圧測定用パッドの製造方法。
【発明の詳細な説明】
【技術分野】
【０００１】
本発明は、舌圧測定用パッドとその製造方法および口腔内圧測定装置に関する。
【背景技術】
【０００２】
高齢化社会の進展により、摂食・嚥下（えんげ）障害者の増加が見込まれている。摂食・嚥下障害は、加齢に伴う疾病（脳卒中や癌など）・筋力低下などによって発生する。
特に高齢者は、十分食べられないと、栄養不良、体力および免疫力低下による感染症のおそれがある一方で、無理に食べると、嚥下障害による誤嚥性肺炎など生命危機状態に陥るおそれもある。
【０００３】
摂食・嚥下障害は、舌圧、口唇圧、頬圧との関連性がある。すなわち、咀嚼するときには、舌圧によって食物を食塊にまとめ、飲み込むときには、舌圧、頬圧、口唇圧の協調運動によって食塊を口腔から咽頭食道へ移送する。したがって、舌圧、口唇圧、頬圧は、摂食・嚥下運動において重要な役割を担っている。
【０００４】
また、口唇圧、頬圧による歯列への圧迫が、歯科治療におけるインプラント治療、矯正治療に大きな影響を与えることが知られている。また、その強さの程度によっては、矯正治療中だけでなく、歯列矯正治療の保定にも影響を与えることが知られている。
【０００５】
近年、このような舌圧、口唇圧、頬圧等の口腔内圧を測定する口腔内圧測定装置が開発されている（例えば特許文献１〜４等参照）。
特に食べ物の咀嚼や飲み込みの際、舌の働きによって生じる舌の筋力の最大強さを測定することが、摂食・嚥下機能診断のためのスクリーニング検査の一つとなっている。
【先行技術文献】
【特許文献】
【０００６】
【特許文献１】特開２００６−２０４９４０号公報
【特許文献２】特許第５２５９９６６号公報
【特許文献３】特許第５６７４０１１号公報
【特許文献４】特許第３７９２１５９号公報
【発明の概要】
【発明が解決しようとする課題】
【０００７】
特許文献１〜３には、予め所定の圧力を加えて膨張させたバルーン（舌圧測定用パッド）を口腔内に挿入して舌で押圧した際の空気圧を検出して舌圧を測定する口腔内圧測定装置が記載されている。
しかしながら、特許文献１〜３に記載の口腔内圧測定装置では、口腔内でバルーンが移動しやすく、バルーンを口腔内において安定して位置決めすることが難しい。このため、正確な舌圧の測定が困難となるおそれがある。
【０００８】
特許文献１，２には、バルーンに硬質リングを装着して、硬質リングが唇または歯の位置となるように位置決めする方法が開示されている。また、特許文献３には、バルーンが保持されるバルーン基材にリブを設けて、リブに歯を当接させて位置決めする方法が開示されている。しかし、バルーン中央位置から硬質リングやリブまでの距離が固定されているため、被験者の体格の違いによって口腔内におけるバルーンの位置がばらついてしまう。このため、正確な舌圧の測定のためには、被験者の体格の違いに合わせたプローブを各種用意しなければならない。
【０００９】
特許文献４には、一対のマウスピースに作用する力の大きさで舌圧を測定する口腔内圧測定装置が記載されている。
しかしながら、特許文献４に記載のマウスピースは、構造が複雑であり、高価となる。また、マウスピースを交換する際には、一対で交換しなければならないので交換作業が煩雑である。さらに、複雑な構造のマウスピースを被験者の口腔内に入れて測定をしなければならないため、被験者への負担が大きい。
【００１０】
本発明は、前記した事情に鑑みてなされたものであり、簡易かつ安価な構成で、口腔内における適切な位置に安定して位置決めすることが可能な舌圧測定用パッドとその製造方法および口腔内圧測定装置を提供することを課題とする。
【課題を解決するための手段】
【００１１】
前記課題を解決するため、本発明は、舌の口蓋への押付け力の測定に用いられる舌圧測定用パッドであって、内部に空間を有する舌圧測定用中空部と、前記舌圧測定用中空部に連設され該舌圧測定用中空部の内部と連通する管状の舌圧測定用接続部と、を備え、前記舌圧測定用中空部の下面に、該舌圧測定用中空部が舌と口蓋との間に配置された状態で舌先が当てられることによって該舌圧測定用中空部を口腔内で位置決めする位置決め部が設けられていることを特徴とする。
【００１２】
このような構成では、舌圧測定時には、舌圧測定用パッドが口腔内に挿入され、舌圧測定用中空部が舌と口蓋との間に配置された状態で、舌先が位置決め部に当てられる。このため、舌圧測定用中空部と舌先との位置関係を、被験者の体格の違いによらずに一定化させることができる。
したがって、簡易かつ安価な構成で、口腔内における適切な位置に安定して位置決めすることが可能な舌圧測定用パッドを提供することができる。
これにより、正確な舌圧の測定を行うことが可能となる。
【００１３】
前記舌圧測定用パッドにおいて、前記位置決め部は、前記舌圧測定用中空部の内部に向けてへこんだ窪み部であることが好ましい。
【００１４】
このような構成では、被験者は、舌先が窪み部内に入っていることを触覚によって確実に知覚できるため、舌先が位置決め部としての窪み部に適切に当てられていることを容易に確認することができる。
【００１５】
また、本発明に係る口腔内圧測定装置は、前記舌圧測定用パッドと、前記舌圧測定用パッドの前記舌圧測定用接続部と着脱可能に接続するチューブと、前記チューブにおける基端側の端部と着脱可能に接続する本体側接続部が設けられ該本体側接続部に伝達された空気圧から舌圧を測定する本体部と、を備えることを特徴とする。
【００１６】
このような構成では、本体部に接続されたチューブの先端側に舌圧測定用パッドが接続された後、該舌圧測定用パッドが口腔内に挿入されて、適切な位置に安定して位置決めされる。そして、舌圧測定用中空部を被験者が舌で押圧することによって、本体側接続部に伝達された空気圧から、本体部において舌圧を正確に測定することができる。
【００１７】
前記口腔内圧測定装置において、頬の臼歯部歯列への押付け力の測定に用いられる頬圧測定用パッドを備え、前記頬圧測定用パッドは、内部に空間を有する頬圧測定用中空部と、前記頬圧測定用中空部に連設され該頬圧測定用中空部の内部と連通する管状の頬圧測定用接続部と、前記頬圧測定用中空部の側面に設けられた板状の翼部と、を備え、前記翼部は、前記頬圧測定用中空部および前記頬圧測定用接続部の中心軸に平行に設けられており、前記頬圧測定用中空部が頬と臼歯部歯列との間に配置された状態で、前記翼部は、上臼歯と下臼歯との間に位置され、前記チューブが前記頬圧測定用パッドの前記頬圧測定用接続部と着脱可能に接続された状態で、前記本体部は、頬圧を測定することが好ましい。
【００１８】
このような構成では、本体部に接続されたチューブの先端側に、舌圧測定用パッドに代えて、頬圧測定用パッドを接続することができる。
頬圧測定時には、頬圧測定用パッドが口腔内に挿入され、頬圧測定用中空部が頬と臼歯部歯列との間に配置された状態で、翼部が上臼歯と下臼歯との間で噛まれて挟持される。このため、簡易かつ安価な構成で、口腔内における適切な位置に安定して位置決めすることが可能な頬圧測定用パッドを提供できる。そして、頬圧測定用中空部を被験者が頬で押圧することによって、本体側接続部に伝達された空気圧から、本体部において頬圧を正確に測定することができる。
【００１９】
前記口腔内圧測定装置において、上唇と下唇との間の押付け力の測定に用いられる口唇圧測定用パッドを備え、前記口唇圧測定用パッドは、内部に空間を有する口唇圧測定用中空部と、前記口唇圧測定用中空部に連設され該口唇圧測定用中空部の内部と連通する管状の口唇圧測定用接続部と、前記口唇圧測定用中空部における前記口唇圧測定用接続部とは反対側に設けられた板状の鍔部と、を備え、前記鍔部は、前記口唇圧測定用中空部および前記口唇圧測定用接続部の中心軸に垂直に設けられており、前記口唇圧測定用中空部が上唇と下唇との間に配置された状態で、前記鍔部は、前歯と唇との間に位置され、前記チューブが前記口唇圧測定用パッドの前記口唇圧測定用接続部と着脱可能に接続された状態で、前記本体部は、口唇圧を測定することが好ましい。
【００２０】
このような構成では、本体部に接続されたチューブの先端側に、舌圧測定用パッドに代えて、口唇圧測定用パッドを接続することができる。
口唇圧測定時には、口唇圧測定用パッドが口腔内に挿入され、口唇圧測定用中空部が上唇と下唇との間に配置された状態で、鍔部が前歯と唇との間に位置されて挟持される。このため、簡易かつ安価な構成で、口腔内における適切な位置に安定して位置決めすることが可能な口唇圧測定用パッドを提供できる。そして、口唇圧測定用中空部を被験者が上唇と下唇との間で押圧することによって、本体側接続部に伝達された空気圧から、本体部において口唇圧を正確に測定することができる。
【００２１】
前記口腔内圧測定装置において、前記本体部は、前記本体側接続部に伝達された空気圧を検出し、該空気圧を電気信号に変換する圧力電気変換手段と、該圧力電気変換手段から得られた電気信号を測定情報として処理する制御手段と、を有し、前記本体部は、さらに、測定結果を表示するための表示手段、および前記制御手段から得られた測定情報を通信端末に送受信するための通信手段の少なくとも一方を有することが好ましい。
【００２２】
このような構成では、本体部において検出した空気圧に基づいて、舌圧等の口腔内圧の測定結果を表示させて確認したり、測定情報の通信処理を行ったりすることができる。
【００２３】
前記口腔内圧測定装置において、前記制御手段は、前記圧力電気変換手段から得られた電気信号を、前記チューブにおける先端側の端部と接続する口腔内圧測定用パッドの種類に応じた調整のための演算を含んで測定情報として処理することが好ましい。
【００２４】
チューブに接続する口腔内圧測定用パッドの形状や材質の違いによって、外圧を加えたときの口腔内圧測定用パッドの体積や、内圧、反発力が異なる。このため、種類の異なる口腔内圧測定用パッドに同じ外圧を加えても、口腔内圧測定用パッドの内圧の検出値が異なってしまう。これに対して、制御手段が口腔内圧測定用パッドの種類に応じた調整のための演算を行うことによって、口腔内圧測定用パッドの種類に関わらずに、適正な値の測定情報として処理することが可能となる。
【００２５】
前記口腔内圧測定装置において、前記本体部は、操作手段と、記憶手段と、を有し、前記制御手段は、前記操作手段からの操作情報の処理、前記記憶手段からの記憶情報の処理、および前記チューブにおける先端側の端部と接続する口腔内圧測定用パッドを測定箇所に配置した時の圧力値を基準点とするキャリブレーション機能の処理、を含む制御を実行することが好ましい。
【００２６】
このような構成では、制御手段は、測定情報の処理のみでなく、操作情報や記憶情報の処理、キャリブレーション機能の処理をも実行することができる。
【００２７】
また、本発明に係る舌圧測定用パッドの製造方法は、前記舌圧測定用パッドを、射出成形またはコンプレッション成形によって形成することを特徴とする。
【００２８】
例えばブロー成形によって舌圧測定用パッドが形成される場合、金型と接した外面以外の形状は金型で規制できないので、安定した肉厚を得ることが難しい。このため、成形品に肉厚のバラツキが発生し、その結果、安定した測定を行うことが困難となるおそれがあるという課題がある。これに対して、射出成形またはコンプレッション成形によって舌圧測定用パッドを形成することによって、肉厚をより均一にすることができる。したがって、バラツキなく安定した、より正確な舌圧の測定を行うことが可能となる。
【発明の効果】
【００２９】
本発明によれば、簡易かつ安価な構成で、口腔内における適切な位置に安定して位置決めすることが可能な舌圧測定用パッドとその製造方法および口腔内圧測定装置を提供することができる。
【図面の簡単な説明】
【００３０】
【図１】本発明の第１実施形態に係る口腔内圧測定装置を模式的に示す構成図である。
【図２】図２（ａ）は、舌圧測定用パッドの平面図、図２（ｂ）は、図２（ａ）のＩＩｂ−ＩＩｂ線に沿う断面図、図２（ｃ）は、図２（ａ）の側方から見た図、図２（ｄ）は、図２（ｃ）のＩＩｄ−ＩＩｄ線に沿う断面図、図２（ｅ）は、舌圧測定用パッドの斜視図である。
【図３】図３（ａ）は、頬圧測定用パッドの側面図、図３（ｂ）は、図３（ａ）のＩＩＩｂ−ＩＩＩｂ線に沿う断面図、図３（ｃ）は、頬圧測定用パッドの斜視図である。
【図４】図４（ａ）は、口唇圧測定用パッドの平面図、図４（ｂ）は、図３（ａ）の右側から見た図、図４（ｃ）は、図４（ａ）のＩＶｃ−ＩＶｃ線に沿う断面図、図４（ｄ）は、口唇圧測定用パッドの斜視図である。
【図５】本体部の構成を示すブロック図である。
【図６】図５に示される制御手段の構成を示すブロック図である。
【図７】通信端末の表示部に表示される画面の一例を示す図である。
【図８】舌圧を測定する様子を説明するための図である。
【図９】頬圧を測定する様子を説明するための図である。
【図１０】口唇圧を測定する様子を説明するための図である。
【図１１】本発明の第２実施形態に係る本体部の外観図である。
【図１２】本体部の構成を示すブロック図である。
【発明を実施するための形態】
【００３１】
本発明の実施形態について、適宜図面を参照しながら詳細に説明する。
なお、各図において、共通する構成要素や同様な構成要素については、同一の符号を付し、それらの重複する説明を適宜省略する。
【００３２】
（第１実施形態）
図１は、本発明の第１実施形態に係る口腔内圧測定装置１００を模式的に示す構成図である。図１に示すように、口腔内圧測定装置１００は、舌圧測定用パッド１と、チューブ４と、本体部５と、通信端末６と、を備えている。
また、本実施形態では、口腔内圧測定装置１００は、舌圧測定用パッド１に代えて使用可能な頬圧測定用パッド２（図３参照）および口唇圧測定用パッド３（図４参照）をさらに備えている。
【００３３】
図２（ａ）は、舌圧測定用パッド１の平面図、図２（ｂ）は、図２（ａ）のＩＩｂ−ＩＩｂ線に沿う断面図、図２（ｃ）は、図２（ａ）の側方から見た図、図２（ｄ）は、図２（ｃ）のＩＩｄ−ＩＩｄ線に沿う断面図、図２（ｅ）は、舌圧測定用パッド１の斜視図である。ただし、使用状態においては、図２（ａ）は、下方から見た図に相当する。
【００３４】
舌圧測定用パッド１は、舌の口蓋への押付け力（舌圧）の測定に用いられる。
図２に示すように、舌圧測定用パッド１は、舌圧測定用中空部１１と、舌圧測定用接続部１２と、を備えている。
【００３５】
舌圧測定用中空部１１は、内部に空間１１１（図２（ｂ）参照）を有している。この舌圧測定用中空部１１は、上方または下方から見て略楕円形を呈しており（図２（ａ）参照）、側方から見て略長円形（トラック形）を呈している（図２（ｃ）参照）。また、舌圧測定用中空部１１は、横方向の幅寸法Ｂ１が上下方向の高さ寸法Ｈ１よりも大きくなるように構成されている。舌圧測定用接続部１２は、舌圧測定用中空部１１に連設されている。この舌圧測定用接続部１２は、舌圧測定用中空部１１の内部と連通しており、管状を呈している。
【００３６】
舌圧測定用中空部１１の下面１１２には、位置決め部１１３が設けられている。位置決め部１１３は、舌圧測定用中空部１１が舌と口蓋との間に配置された状態で、舌先が該位置決め部１１３に当てられることによって、舌圧測定用中空部１１を口腔内で位置決めする機能を有している。
【００３７】
位置決め部１１３は、本実施形態では、舌圧測定用中空部１１の内部に向けてへこんだ窪み部（凹部）である。ただし、位置決め部１１３は、窪み部に限定されるものではなく、例えば、舌圧測定用中空部１１の外側に向けて突出する凸部であってもよく、あるいは舌先の触覚で知覚可能に表面を粗くした高面粗度部であってもよい。
【００３８】
舌圧測定用パッド１は、弾性材料から一体的に形成されている。弾性材料としては、ここではシリコーンゴムが使用されるが、これに限定されるものではなく、例えば各種の天然ゴム、合成ゴム等が使用され得る。ここでは、舌圧測定用パッド１は、射出成形またはコンプレッション成形によって形成されている。
【００３９】
舌圧測定用パッド１は、内外間で気密性を有している。また、舌圧測定用パッド１は、自身の弾性力によって内部の空間１１１を保持する。つまり、外圧が加わって変形したとしても、その外圧が取り除かれた場合には元の形状に速やかに自然復帰する。したがって、舌圧測定用パッド１内に予め所定の圧力を加えて膨張させる必要がなく、特別の加圧装置も不要である。
【００４０】
図３（ａ）は、頬圧測定用パッド２の側面図、図３（ｂ）は、図３（ａ）のＩＩＩｂ−ＩＩＩｂ線に沿う断面図、図３（ｃ）は、頬圧測定用パッド２の斜視図である。
【００４１】
頬圧測定用パッド２は、頬の臼歯部歯列への押付け力（頬圧）の測定に用いられる。
図３に示すように、頬圧測定用パッド２は、頬圧測定用中空部２１と、頬圧測定用接続部２２と、翼部２３と、を備えている。
【００４２】
頬圧測定用中空部２１は、内部に空間２１１（図３（ｂ）参照）を有している。この頬圧測定用中空部２１は、上方または下方から見て略長円形（トラック形）を呈しており（図３（ｂ）参照）、側方から見ても略長円形（トラック形）を呈している（図３（ａ）参照）。また、頬圧測定用中空部２１は、横方向の幅寸法Ｂ２が上下方向の高さ寸法Ｈ２よりも小さくなるように構成されている。頬圧測定用接続部２２は、頬圧測定用中空部２１に連設されている。この頬圧測定用接続部２２は、頬圧測定用中空部２１の内部と連通しており、管状を呈している。
【００４３】
翼部２３は、頬圧測定用中空部２１の側面２１２に設けられており、略四角形の板状を呈している。この翼部２３は、頬圧測定用中空部２１および頬圧測定用接続部２２の中心軸Ｌ２（図３（ｂ）参照）に平行に設けられている。翼部２３は、頬圧測定用中空部２１が頬と臼歯部歯列との間に配置された状態で、上臼歯と下臼歯との間に位置される。
【００４４】
頬圧測定用パッド２は、ここでは、舌圧測定用パッド１と同様の材料、成形方法によって形成されており、舌圧測定用パッド１と同様に気密性、および形状の自然復帰性を有している。ただし、翼部２３が別体で形成されて、頬圧測定用中空部２１に融着や接着等によって接合されてもよい。
【００４５】
図４（ａ）は、口唇圧測定用パッド３の平面図、図４（ｂ）は、図４（ａ）の右側から見た図、図４（ｃ）は、図４（ａ）のＩＶｃ−ＩＶｃ線に沿う断面図、図４（ｄ）は、口唇圧測定用パッド３の斜視図である。
【００４６】
口唇圧測定用パッド３は、上唇と下唇との間の押付け力（口唇圧）の測定に用いられる。
図４に示すように、口唇圧測定用パッド３は、口唇圧測定用中空部３１と、口唇圧測定用接続部３２と、鍔部３３と、を備えている。
【００４７】
口唇圧測定用中空部３１は、内部に空間３１１（図４（ｃ）参照）を有している。この口唇圧測定用中空部３１は、上方または下方から見て略四角形ないし略五角形を呈しており（図４（ａ）参照）、側方から見て略四角形ないし略長円形（トラック形）を呈している（図４（ｃ）参照）。また、口唇圧測定用中空部３１は、横方向の幅寸法Ｂ３が上下方向の高さ寸法Ｈ３よりも大きくなるように構成されている。口唇圧測定用接続部３２は、口唇圧測定用中空部３１に連設されている。この口唇圧測定用接続部３２は、口唇圧測定用中空部３１の内部と連通しており、管状を呈している。
【００４８】
鍔部３３は、口唇圧測定用中空部３１における口唇圧測定用接続部３２とは反対側に設けられており、略四角形の板状を呈している。この鍔部３３は、口唇圧測定用中空部３１および口唇圧測定用接続部３２の中心軸Ｌ３（図４（ｃ）参照）に垂直に設けられている。鍔部３３は、口唇圧測定用中空部３１が上唇と下唇との間に配置された状態で、前歯と唇との間に位置される。
【００４９】
口唇圧測定用パッド３は、ここでは、舌圧測定用パッド１と同様の材料、成形方法によって形成されており、舌圧測定用パッド１と同様に気密性、および形状の自然復帰性を有している。ただし、鍔部３３が別体で形成されて、口唇圧測定用中空部３１に融着や接着等によって接合されてもよい。
【００５０】
図１に示すように、チューブ４は、舌圧測定用パッド１の舌圧測定用接続部１２（図２参照）、頬圧測定用パッド２の頬圧測定用接続部２２（図３参照）、または口唇圧測定用パッド３の口唇圧測定用接続部３２（図４参照）と着脱可能に接続する。ここでは、チューブ４の先端側の端部が、舌圧測定用接続部１２、頬圧測定用接続部２２、または口唇圧測定用接続部３２の開口に挿入されて嵌合する。
【００５１】
口唇圧測定用接続部３２（図４参照）は、口唇圧測定用パッド３の成形時に内部の型を外にスムーズに抜き出す必要があることから、舌圧測定用接続部１２や頬圧測定用接続部２２と比べて内径が大きくなっている。このため、チューブ４は、内径が舌圧測定用接続部１２と同等の比較的小さい略円筒形状のアダプタ（図示せず）を介して、口唇圧測定用パッド３（図４参照）の口唇圧測定用接続部３２に接続されるようになっている。
【００５２】
本体部５には、チューブ４における基端側（舌圧測定用パッド１と反対側）の端部と着脱可能に接続する本体側接続部５１が設けられている。ここでは、本体側接続部５１の先端側の端部が、チューブ４の基端側の端部の開口に挿入されて嵌合する。本体部５は、本体側接続部５１に伝達された空気圧から、舌圧、頬圧、口唇圧等の口腔内圧を測定する。
【００５３】
図５は、本体部５の構成を示すブロック図である。図６は、図５に示される制御手段５３の構成を示すブロック図である。
図５に示すように、本体部５は、圧力電気変換手段５２と、制御手段５３と、操作手段５４と、表示手段５５と、記憶手段５６と、通信手段５７と、を有している。
【００５４】
圧力電気変換手段５２は、舌圧測定用パッド１等からチューブ４を介して本体側接続部に伝達された空気圧を検出し、該空気圧を電気信号に変換する。圧力電気変換手段５２は、例えば、本体側接続部５１に設けられたひずみゲージ式圧力変換器や、空気振動で変化する電極間の静電容量の変化を電気信号に変換するコンデンサマイクを利用するものであってもよい。あるいは、本体側接続部５１に設けられた密閉空間にピンホールからの空気の流出音の変化を検出する無指向性マイクロフォン等が利用されてもよい。
【００５５】
制御手段５３は、ＣＰＵ（Central Processing Unit）とメモリとを備えており、本体部５の全体の制御を行う。また、制御手段５３は、圧力電気変換手段５２から得られた電気信号を測定情報として処理し、測定結果を表示手段５５に伝達する。また、制御手段５３は、操作手段５４からの操作情報や、記憶手段５６からの記憶情報を通信手段５７に伝達し、Bluetooth（登録商標）等の無線を使って、通信端末６と相互通信することができる。
【００５６】
図６に示すように、制御手段５３は、増幅器５３１、周波数フィルタ５３２、Ａ／Ｄ変換器５３３、および換算手段５３４を有している。増幅器５３１は、圧力電気変換手段５２から得られた電気信号を増幅する。周波数フィルタ５３２は、電気信号中のノイズ成分を除去する。Ａ／Ｄ変換器５３３は、アナログの電気信号をデジタル信号に変換する。換算手段５３４は、チューブ４における先端側の端部と接続する口腔内圧測定用パッドの種類に応じた調整のための演算を行う。具体的には、換算手段５３４は、口腔内圧測定用パッドの種類に応じて予め用意された換算式を使用する。この換算式は、実測データに基づいて導出される。口腔内圧測定用パッドの種類としては、ここでは、舌圧測定用パッド１、頬圧測定用パッド２、口唇圧測定用パッド３の３種が挙げられる。すなわち、「口腔内圧測定用パッド」の用語は、舌圧測定用パッド１、頬圧測定用パッド２、口唇圧測定用パッド３の総称として使用する。
【００５７】
図１、図５に示すように、操作手段５４は、本体部５に対する各種入力を行うためのものであり、例えば、電源のオン・オフや、表示される口腔内圧の測定結果をリセットするために使用される。表示手段５５は、口腔内圧の現在値、最大値（ピーク値）等の各種情報を表示する。記憶手段５６は、半導体メモリ、ハードディスク等であり、例えば、口腔内圧の測定情報等の各種情報を記憶し保存する。
なお、リセット処理は、口腔内圧測定用パッドを測定箇所に配置した時に自然にかかる圧力値を基準点（ゼロ点）とし、口腔内圧測定用パッドに加わった圧力のみを正確に測定するための機能（キャリブレーション機能）を有する。
【００５８】
通信手段５７は、通信端末６との通信を行うためのインタフェースである。通信手段５７で使用される通信方式は、ここではBluetooth（登録商標）であるが、これに限定されるものではなく、他の無線通信や、有線通信であってもよい。無線通信としては、例えば、無線ＬＡＮ、超音波通信、赤外線通信、可視光通信等が使用され得る。有線通信としては、例えば有線ＬＡＮ等が使用され得る。
【００５９】
図１に示すように、通信端末６は、表示部６１を備えている。通信端末６は、ここでは、スマートフォンであり、表示部６１は、各種情報を表示し、または各種入力を行うためのタッチパネルである。ただし、通信端末６は、タブレット型ＰＣや、ノート型ＰＣであってもよい。
【００６０】
図７は、通信端末６の表示部６１に表示される画面の一例を示す図である。
図７に示すように、表示部６１には、測定の開始を指示するための開始ボタン６１１、測定の終了を指示するための終了ボタン６１２、測定する口腔内圧の種類を指定するための口腔内圧種類指定チェックボックス６１３、口腔内圧をグラフで示すアナログ測定結果６１４、口腔内圧の現在値および最大値を示すデジタル測定結果６１５が表示される。ここで、開始ボタン６１１を押してから終了ボタン６１２を押すまでの口腔内圧の測定情報の時系列データや、最大値（ピーク値）等が記憶手段５６に保存され得る。
【００６１】
次に、口腔内圧測定装置１００を用いた口腔内圧の測定方法について説明する。
まず、図１，２，７，８を参照して舌圧の測定方法について説明する。
図８は、舌圧を測定する様子を説明するための図である。
舌圧測定時には、本体部５に接続されたチューブ４の先端側に舌圧測定用パッド１が接続される。このとき、通信端末６の表示部６１に表示される口腔内圧種類指定チェックボックス６１３において、「舌圧」のボックスにチェックが入れられる。この後、図８に示すように、舌圧測定用パッド１が口腔内に挿入され、舌圧測定用中空部１１が舌１０１と口蓋１０２との間に配置された状態で、舌先が窪み部である位置決め部１１３に当てられる。これにより、舌圧測定用パッド１は適切な位置に安定して位置決めされる。そして、舌圧測定用中空部１１を被験者が舌で押圧することによって、舌圧測定用パッド１からチューブ４を介して本体側接続部５１に伝達された空気圧に基づいて、本体部５において舌圧が測定される。
【００６２】
次に、図１，３，７，９を参照して頬圧の測定方法について説明する。
図９は、頬圧を測定する様子を説明するための図である。
頬圧測定時には、本体部５に接続されたチューブ４の先端側に頬圧測定用パッド２が接続される。このとき、通信端末６の表示部６１に表示される口腔内圧種類指定チェックボックス６１３において、「頬圧：左」または「頬圧：右」のボックスにチェックが入れられる。この後、図９に示すように、頬圧測定用パッド２が口腔内に挿入され、頬圧測定用中空部２１が頬１０３と臼歯部歯列１０４との間に配置された状態で、翼部２３が上臼歯と下臼歯との間で噛まれて挟持される。これにより、頬圧測定用パッド２は適切な位置に安定して位置決めされる。そして、頬圧測定用中空部２１を被験者が頬１０３で押圧することによって、頬圧測定用パッド２からチューブ４を介して本体側接続部５１に伝達された空気圧に基づいて、本体部５において頬圧が測定される。
【００６３】
次に、図１，４，７，１０を参照して口唇圧の測定方法について説明する。
図１０は、口唇圧を測定する様子を説明するための図である。
口唇圧測定時には、本体部５に接続されたチューブ４の先端側に口唇圧測定用パッド３が接続される。このとき、通信端末６の表示部６１に表示される口腔内圧種類指定チェックボックス６１３において、「口唇圧」のボックスにチェックが入れられる。この後、図１０に示すように、口唇圧測定用パッド３が口腔内に挿入され、口唇圧測定用中空部３１が上唇１０５と下唇１０６との間に配置された状態で、鍔部３３が前歯１０７と唇１０５，１０６との間に位置されて挟持される。これにより、口唇圧測定用パッド３は適切な位置に安定して位置決めされる。そして、口唇圧測定用中空部３１を被験者が上唇１０５と下唇１０６との間で押圧することによって、口唇圧測定用パッド３からチューブ４を介して本体側接続部５１に伝達された空気圧に基づいて、本体部５において口唇圧が測定される。
【００６４】
前記したように、本実施形態に係る舌圧測定用パッド１は、舌圧測定用中空部１１と、該舌圧測定用中空部１１の内部と連通する管状の舌圧測定用接続部１２と、を備えている。そして、舌圧測定用中空部１１の下面に、該舌圧測定用中空部１１が舌と口蓋との間に配置された状態で舌先が当てられることによって該舌圧測定用中空部１１を口腔内で位置決めする位置決め部１１３が設けられている。
【００６５】
このような本実施形態では、舌圧測定時には、舌圧測定用パッド１が口腔内に挿入され、舌圧測定用中空部１１が舌と口蓋との間に配置された状態で、舌先が位置決め部１１３に当てられる。このため、舌圧測定用中空部１１と舌先との位置関係を、被験者の体格の違いによらずに一定化させることができる。
したがって、簡易かつ安価な構成で、口腔内における適切な位置に安定して位置決めすることが可能な舌圧測定用パッド１を提供することができる。
これにより、正確な舌圧の測定を行うことが可能となる。
【００６６】
また、本実施形態では、位置決め部１１３は、舌圧測定用中空部１１の内部に向けてへこんだ窪み部である。このような構成では、被験者は、舌先が窪み部内に入っていることを触覚によって確実に知覚できるため、舌先が位置決め部１１３としての窪み部に適切に当てられていることを容易に確認することができる。
【００６７】
また、本実施形態に係る口腔内圧測定装置１００は、舌圧測定用パッド１と、舌圧測定用パッド１の舌圧測定用接続部１２と着脱可能に接続するチューブ４と、チューブ４における基端側の端部と着脱可能に接続する本体側接続部５１が設けられ該本体側接続部５１に伝達された空気圧から舌圧を測定する本体部５と、を備えている。このような構成では、本体部５に接続されたチューブ４の先端側に舌圧測定用パッド１が接続された後、該舌圧測定用パッド１が口腔内に挿入されて、適切な位置に安定して位置決めされる。そして、舌圧測定用中空部１１を被験者が舌で押圧することによって、本体側接続部５１に伝達された空気圧から、本体部５において舌圧を正確に測定することができる。
【００６８】
また、本実施形態では、口腔内圧測定装置１００は、頬圧測定用パッド２を備えている。頬圧測定用パッド２は、頬圧測定用中空部２１と、頬圧測定用接続部２２と、翼部２３と、を備え、翼部２３は、頬圧測定用中空部２１および頬圧測定用接続部２２の中心軸Ｌ２に平行に設けられている。このような構成では、本体部５に接続されたチューブ４の先端側に、舌圧測定用パッド１に代えて、頬圧測定用パッド２を接続することができる。
頬圧測定時には、頬圧測定用パッド２が口腔内に挿入され、頬圧測定用中空部２１が頬と臼歯部歯列との間に配置された状態で、翼部２３が上臼歯と下臼歯との間に位置されて噛まれて挟持される。このため、簡易かつ安価な構成で、口腔内における適切な位置に安定して位置決めすることが可能な頬圧測定用パッド２を提供できる。そして、頬圧測定用中空部２１を被験者が頬で押圧することによって、本体側接続部５１に伝達された空気圧から、本体部５において頬圧を正確に測定することができる。
【００６９】
また、本実施形態では、口腔内圧測定装置１００は、口唇圧測定用パッド３を備えている。口唇圧測定用パッド３は、口唇圧測定用中空部３１と、口唇圧測定用接続部３２と、鍔部３３と、を備え、鍔部３３は、口唇圧測定用中空部３１および口唇圧測定用接続部３２の中心軸Ｌ３に垂直に設けられている。このような構成では、本体部５に接続されたチューブ４の先端側に、舌圧測定用パッド１に代えて、口唇圧測定用パッド３を接続することができる。
口唇圧測定時には、口唇圧測定用パッド３が口腔内に挿入され、口唇圧測定用中空部３１が上唇と下唇との間に配置された状態で、鍔部３３が前歯と唇との間に位置されて挟持される。このため、簡易かつ安価な構成で、口腔内における適切な位置に安定して位置決めすることが可能な口唇圧測定用パッド３を提供できる。そして、口唇圧測定用中空部３１を被験者が上唇と下唇との間で押圧することによって、本体側接続部５１に伝達された空気圧から、本体部５において口唇圧を正確に測定することができる。
【００７０】
また、本実施形態では、本体部５は、圧力電気変換手段５２と、該圧力電気変換手段５２から得られた電気信号を測定情報として処理し、測定結果を表示するために送信する制御手段５３と、を有している。このような構成では、本体部５において検出した空気圧に基づいて、舌圧等の口腔内圧の測定結果を表示させて確認することができる。
【００７１】
また、本実施形態では、制御手段５３は、圧力電気変換手段５２から得られた電気信号を、チューブ４における先端側の端部と接続する口腔内圧測定用パッドの種類（本実施形態では、舌圧測定用パッド１、頬圧測定用パッド２、口唇圧測定用パッド３の３種）に応じた調整のための演算を含んで測定情報として処理する。ここで、チューブ４に接続する口腔内圧測定用パッドの形状や材質の違いによって、外圧を加えたときの口腔内圧測定用パッドの体積や、内圧、反発力が異なる。このため、種類の異なる口腔内圧測定用パッドに同じ外圧を加えても、口腔内圧測定用パッドの内圧の検出値が異なってしまう。これに対して、制御手段５３が口腔内圧測定用パッドの種類に応じた調整のための演算を行うことによって、口腔内圧測定用パッドの種類に関わらずに、適正な値の測定情報として処理することが可能となる。
【００７２】
また、本実施形態では、舌圧測定用パッド１、頬圧測定用パッド２、および口唇圧測定用パッド３は、射出成形またはコンプレッション成形によって形成されている。例えばブロー成形によって舌圧測定用パッド１等が形成される場合、金型と接した外面以外の形状は金型で規制できないので、安定した肉厚を得ることが難しい。このため、成形品に肉厚のバラツキが発生し、その結果、安定した測定を行うことが困難となるおそれがあるという課題がある。これに対して、射出成形またはコンプレッション成形によって舌圧測定用パッド１等を形成することによって、肉厚をより均一にすることができる。したがって、バラツキなく安定した、より正確な舌圧の測定を行うことが可能となる。
【００７３】
（第２実施形態）
次に、本発明の第２実施形態について、前記した第１実施形態と相違する点を中心に説明し、共通する点の説明を適宜省略する。
図１１は、本発明の第２実施形態に係る本体部５ａの外観図である。図１２は、本体部５ａの構成を示すブロック図である。
【００７４】
第１実施形態に係る口腔内圧測定装置１００は、舌圧測定用パッド１と、チューブ４と、本体部５と、通信端末６と、を備えている。これに対し、第２実施形態に係る口腔内圧測定装置は、通信端末６を備えておらず、本体部５ａの構成が第１実施形態とは異なっている。
【００７５】
図１１〜１２に示すように、本体部５ａは、圧力電気変換手段５２と、制御手段５３と、操作手段５４ａと、表示手段５５と、記憶手段５６と、を有している。口腔内圧測定装置１００が通信端末６を備えていないので、本体部５ａは通信手段５７を有していない。
【００７６】
操作手段５４ａは、本体部５ａに対する各種入力を行うためのものであり、電源スイッチ５４１、リセットボタン５４２、口腔内圧種類指定ボタン５４３、および表示切替ボタン５４４を備えている。リセットボタン５４２は、表示される口腔内圧の測定結果の最大値（ピーク値）をリセットするため、および現在値の圧力値を基準点に設定（キャリブレーション）するために使用される。口腔内圧種類指定ボタン５４３は、測定する口腔内圧の種類Ａ〜Ｃ（測定モード）を順番に切り替えて指定するために使用される。例えば、「Ａ」のランプが点灯しているときは舌圧測定時、「Ｂ」のランプが点灯しているときは頬圧測定時、「Ｃ」のランプが点灯しているときは口唇圧測定時であることを示す。表示切替ボタン５４４は、表示手段５５における口腔内圧の表示値を現在値と最大値（ピーク値）との間で切り替えるために使用される。例えば、「Ｈｏｌｄ」のランプが点灯しているときは最大値表示であることを示す。
【００７７】
このような第２実施形態によれば、コンパクトな構成で、手軽に舌圧、頬圧、口唇圧等の口腔内圧を測定することができ、前記した第１実施形態と同様な作用効果を奏することが可能となる。
【００７８】
なお、第２実施形態に、第１実施形態の通信手段５７を加えて、測定情報の他、操作情報や記憶情報を、本口腔内圧測定装置と通信端末６との間で共有してもよい。例えば、口腔内測定装置の本体部５ａで口腔内圧測定用パッドの種類を選択すると、通信端末６でも同じ種類の口腔内圧測定用パッドの測定モードに切り替えられる。またはその逆で、通信端末操作６での操作によって、本体部５ａにおける測定モードの表示を切替えることができる。
【００７９】
さらに、通信端末６にインストールされたアプリケーションソフトを使用して、測定値の評価、記録、対比等が可能である。例えば、本口腔内測定装置を使ってのリハビリ効果を経時的にグラフ表示して評価したり、患者別に記録を残してデータ管理したり、義歯の装着の有無によってその効果を対比させたりすることも可能である。
【００８０】
以上、本発明について、実施形態に基づいて説明したが、本発明は、前記実施形態に記載した構成に限定されるものではなく、前記実施形態に記載した構成を適宜組み合わせ乃至選択することを含め、その趣旨を逸脱しない範囲において適宜その構成を変更することができるものである。また、前記実施形態の構成の一部について、追加、削除、置換をすることができる。
【００８１】
例えば、前記した実施形態では、口腔内圧測定装置は、舌圧測定用パッド１、頬圧測定用パッド２、および口唇圧測定用パッド３の３種の口腔内圧測定用パッドを備えて構成されているが、これに限定されるものではない。口腔内圧測定装置は、前記した３種の口腔内圧測定用パッドのうちの少なくとも一種を備えた構成とすることが可能である。
【符号の説明】
【００８２】
１      舌圧測定用パッド（口腔内圧測定用パッド）
１１    舌圧測定用中空部
１１１  空間
１１２  下面
１１３  位置決め部
１２    舌圧測定用接続部
２      頬圧測定用パッド（口腔内圧測定用パッド）
２１    頬圧測定用中空部
２１１  空間
２１２  側面
２２    頬圧測定用接続部
２３    翼部
３    口唇圧測定用パッド（口腔内圧測定用パッド）
３１    口唇圧測定用中空部
３１１  空間
３２    口唇圧測定用接続部
３３    鍔部
４      チューブ
５，５ａ  本体部
５１    本体側接続部
５２    圧力電気変換手段
５３    制御手段
５３４  換算手段
５４，５４ａ  操作手段
５５    表示手段
５６    記憶手段
５７    通信手段
６      通信端末
６１    表示部
１００  口腔内圧測定装置
１０１  舌
１０２  口蓋
１０３  頬
１０４  臼歯部歯列
１０５  上唇
１０６  下唇
１０７  前歯
【図１】
2018075127.tif 000003
【図２】
2018075127.tif 000004
【図３】
2018075127.tif 000005
【図４】
2018075127.tif 000006
【図５】
2018075127.tif 000007
【図６】
2018075127.tif 000008
【図７】
2018075127.tif 000009
【図８】
2018075127.tif 000010
【図９】
2018075127.tif 000011
【図１０】
2018075127.tif 000012
【図１１】
2018075127.tif 000013
【図１２】
2018075127.tif 000014
【手続補正書】
【提出日】平成29年12月5日(2017.12.5)
【手続補正１】
【補正対象書類名】特許請求の範囲
【補正対象項目名】全文
【補正方法】変更
【補正の内容】
【特許請求の範囲】
【請求項１】
舌の口蓋への押付け力の測定に用いられる舌圧測定用パッドであって、
内部に空間を有する舌圧測定用中空部と、
前記舌圧測定用中空部に連設され該舌圧測定用中空部の内部と連通する管状の舌圧測定用接続部と、を備え、
前記舌圧測定用中空部の下面の中央部に、該舌圧測定用中空部が舌と口蓋との間に配置された状態で舌先が当てられることによって該舌圧測定用中空部を口腔内で位置決めする位置決め部が設けられており、
前記位置決め部は、前記舌圧測定用中空部の内部に向けてへこんだ窪み部であることを特徴とする舌圧測定用パッド。
【請求項２】
請求項１に記載の舌圧測定用パッドと、
前記舌圧測定用パッドの前記舌圧測定用接続部と着脱可能に接続するチューブと、
前記チューブにおける基端側の端部と着脱可能に接続する本体側接続部が設けられ該本体側接続部に伝達された空気圧から舌圧を測定する本体部と、
を備えることを特徴とする口腔内圧測定装置。
【請求項３】
頬の臼歯部歯列への押付け力の測定に用いられる頬圧測定用パッドを備え、
前記頬圧測定用パッドは、
内部に空間を有する頬圧測定用中空部と、
前記頬圧測定用中空部に連設され該頬圧測定用中空部の内部と連通する管状の頬圧測定用接続部と、
前記頬圧測定用中空部の側面に設けられた板状の翼部と、を備え、
前記翼部は、前記頬圧測定用中空部および前記頬圧測定用接続部の中心軸に平行に設けられており、
前記頬圧測定用中空部が頬と臼歯部歯列との間に配置された状態で、前記翼部は、上臼歯と下臼歯との間に位置され、
前記チューブが前記頬圧測定用パッドの前記頬圧測定用接続部と着脱可能に接続された状態で、前記本体部は、頬圧を測定することを特徴とする請求項２に記載の口腔内圧測定装置。
【請求項４】
上唇と下唇との間の押付け力の測定に用いられる口唇圧測定用パッドを備え、
前記口唇圧測定用パッドは、
内部に空間を有する口唇圧測定用中空部と、
前記口唇圧測定用中空部に連設され該口唇圧測定用中空部の内部と連通する管状の口唇圧測定用接続部と、
前記口唇圧測定用中空部における前記口唇圧測定用接続部とは反対側に設けられた板状の鍔部と、を備え、
前記鍔部は、前記口唇圧測定用中空部および前記口唇圧測定用接続部の中心軸に垂直に設けられており、
前記口唇圧測定用中空部が上唇と下唇との間に配置された状態で、前記鍔部は、前歯と唇との間に位置され、
前記チューブが前記口唇圧測定用パッドの前記口唇圧測定用接続部と着脱可能に接続された状態で、前記本体部は、口唇圧を測定することを特徴とする請求項２または請求項３に記載の口腔内圧測定装置。
【請求項５】
前記本体部は、
前記本体側接続部に伝達された空気圧を検出し、該空気圧を電気信号に変換する圧力電気変換手段と、
該圧力電気変換手段から得られた電気信号を測定情報として処理する制御手段と、を有し、
前記本体部は、さらに、測定結果を表示するための表示手段、および前記制御手段から得られた測定情報を通信端末に送受信するための通信手段の少なくとも一方を有することを特徴とする請求項２から請求項４のいずれか一項に記載の口腔内圧測定装置。
【請求項６】
舌の口蓋への押付け力の測定に用いられる舌圧測定用パッド、頬の臼歯部歯列への押付け力の測定に用いられる頬圧測定用パッド、および上唇と下唇との間の押付け力の測定に用いられる口唇圧測定用パッドを含む口腔内圧測定用パッドと、
前記口腔内圧測定用パッドと着脱可能に接続するチューブと、
前記チューブにおける基端側の端部と着脱可能に接続する本体側接続部が設けられた本体部と、を備え、
前記舌圧測定用パッドは、
内部に空間を有する舌圧測定用中空部と、
前記舌圧測定用中空部に連設され該舌圧測定用中空部の内部と連通する管状の舌圧測定用接続部と、を備え、
前記舌圧測定用中空部の下面の中央部に、該舌圧測定用中空部が舌と口蓋との間に配置された状態で舌先が当てられることによって該舌圧測定用中空部を口腔内で位置決めする位置決め部が設けられており、
前記位置決め部は、前記舌圧測定用中空部の内部に向けてへこんだ窪み部であり、
前記本体部は、前記チューブが前記舌圧測定用パッドと着脱可能に接続された状態で舌圧を測定し、前記チューブが前記頬圧測定用パッドと着脱可能に接続された状態で頬圧を測定し、前記チューブが前記口唇圧測定用パッドと着脱可能に接続された状態で口唇圧を測定するものであり、
前記本体部は、
前記本体側接続部に伝達された空気圧を検出し、該空気圧を電気信号に変換する圧力電気変換手段と、
該圧力電気変換手段から得られた電気信号を測定情報として処理する制御手段と、を有し、
前記本体部は、さらに、測定結果を表示するための表示手段、および前記制御手段から得られた測定情報を通信端末に送受信するための通信手段の少なくとも一方を有しており、
前記制御手段は、前記圧力電気変換手段から得られた電気信号を、前記チューブにおける先端側の端部と接続する前記口腔内圧測定用パッドの種類に応じた調整のための演算を含んで測定情報として処理することを特徴とする口腔内圧測定装置。
【請求項７】
前記本体部は、操作手段と、記憶手段と、を有し、
前記制御手段は、前記操作手段からの操作情報の処理、前記記憶手段からの記憶情報の処理、および前記チューブにおける先端側の端部と接続する前記口腔内圧測定用パッドを測定箇所に配置した時の圧力値を基準点とするキャリブレーション機能の処理、を含む制御を実行することを特徴とする請求項６に記載の口腔内圧測定装置。
【請求項８】
請求項１に記載の舌圧測定用パッドを、射出成形またはコンプレッション成形によって形成することを特徴とする舌圧測定用パッドの製造方法。
【手続補正２】
【補正対象書類名】明細書
【補正対象項目名】００１１
【補正方法】変更
【補正の内容】
【００１１】
前記課題を解決するため、本発明は、舌の口蓋への押付け力の測定に用いられる舌圧測定用パッドであって、内部に空間を有する舌圧測定用中空部と、前記舌圧測定用中空部に連設され該舌圧測定用中空部の内部と連通する管状の舌圧測定用接続部と、を備え、前記舌圧測定用中空部の下面の中央部に、該舌圧測定用中空部が舌と口蓋との間に配置された状態で舌先が当てられることによって該舌圧測定用中空部を口腔内で位置決めする位置決め部が設けられており、前記位置決め部は、前記舌圧測定用中空部の内部に向けてへこんだ窪み部であることを特徴とする。
【手続補正３】
【補正対象書類名】明細書
【補正対象項目名】００１２
【補正方法】変更
【補正の内容】
【００１２】
このような構成では、舌圧測定時には、舌圧測定用パッドが口腔内に挿入され、舌圧測定用中空部が舌と口蓋との間に配置された状態で、舌先が位置決め部に当てられる。このため、舌圧測定用中空部と舌先との位置関係を、被験者の体格の違いによらずに一定化させることができる。
したがって、簡易かつ安価な構成で、口腔内における適切な位置に安定して位置決めすることが可能な舌圧測定用パッドを提供することができる。
これにより、正確な舌圧の測定を行うことが可能となる。
また、被験者は、舌先が窪み部内に入っていることを触覚によって確実に知覚できるため、舌先が位置決め部としての窪み部に適切に当てられていることを容易に確認することができる。
【手続補正４】
【補正対象書類名】明細書
【補正対象項目名】００１３
【補正方法】削除
【補正の内容】
【手続補正５】
【補正対象書類名】明細書
【補正対象項目名】００１４
【補正方法】削除
【補正の内容】
【手続補正６】
【補正対象書類名】明細書
【補正対象項目名】００２３
【補正方法】変更
【補正の内容】
【００２３】
また、本発明に係る口腔内圧測定装置は、舌の口蓋への押付け力の測定に用いられる舌圧測定用パッド、頬の臼歯部歯列への押付け力の測定に用いられる頬圧測定用パッド、および上唇と下唇との間の押付け力の測定に用いられる口唇圧測定用パッドを含む口腔内圧測定用パッドと、前記口腔内圧測定用パッドと着脱可能に接続するチューブと、前記チューブにおける基端側の端部と着脱可能に接続する本体側接続部が設けられた本体部と、を備え、前記舌圧測定用パッドは、内部に空間を有する舌圧測定用中空部と、前記舌圧測定用中空部に連設され該舌圧測定用中空部の内部と連通する管状の舌圧測定用接続部と、を備え、前記舌圧測定用中空部の下面の中央部に、該舌圧測定用中空部が舌と口蓋との間に配置された状態で舌先が当てられることによって該舌圧測定用中空部を口腔内で位置決めする位置決め部が設けられており、前記位置決め部は、前記舌圧測定用中空部の内部に向けてへこんだ窪み部であり、前記本体部は、前記チューブが前記舌圧測定用パッドと着脱可能に接続された状態で舌圧を測定し、前記チューブが前記頬圧測定用パッドと着脱可能に接続された状態で頬圧を測定し、前記チューブが前記口唇圧測定用パッドと着脱可能に接続された状態で口唇圧を測定するものであり、前記本体部は、前記本体側接続部に伝達された空気圧を検出し、該空気圧を電気信号に変換する圧力電気変換手段と、該圧力電気変換手段から得られた電気信号を測定情報として処理する制御手段と、を有し、前記本体部は、さらに、測定結果を表示するための表示手段、および前記制御手段から得られた測定情報を通信端末に送受信するための通信手段の少なくとも一方を有しており、前記制御手段は、前記圧力電気変換手段から得られた電気信号を、前記チューブにおける先端側の端部と接続する前記口腔内圧測定用パッドの種類に応じた調整のための演算を含んで測定情報として処理することを特徴とする。
【手続補正７】
【補正対象書類名】明細書
【補正対象項目名】００２５
【補正方法】変更
【補正の内容】
【００２５】
前記口腔内圧測定装置において、前記本体部は、操作手段と、記憶手段と、を有し、前記制御手段は、前記操作手段からの操作情報の処理、前記記憶手段からの記憶情報の処理、および前記チューブにおける先端側の端部と接続する前記口腔内圧測定用パッドを測定箇所に配置した時の圧力値を基準点とするキャリブレーション機能の処理、を含む制御を実行することが好ましい。